(57)【要約】【課題】ディスクを記録再生装置に装着しているかを、ドライブの電源切断状態でも判別できる記録再生装置は、ディスクを収納するカートリッジが必要であった。【解決手段】ドライブに装着したディスクの媒体識別情報をピックが再生すると、ドライブに備える制御回路が、識別子２３と一体化したガイドレバー２４ａを識別子付勢バネ２９の付勢力で移動させ、移動過程で遊挿穴２４ｂに係合突起２５が遊挿係合させる制御を行い、ドライブの電源投入如何に拘わらず、窓部２２の視認範囲で識別子２３を表示させる。【選択図】図２
2009245522.tif 000002
【特許請求の範囲】
【請求項１】
媒体識別情報を備える媒体識別領域と、前記媒体識別領域の外周側にあり所望の情報信号を記録及び／または再生するデータ領域とを備えるディスク状媒体を記録再生する記録再生装置であって、
前記ディスク状媒体に情報信号の授受を担う光ピックアップと、
前記光ピックアップを前記ディスク状媒体の半径方向に移動をガイドするガイドレールと、
前記光ピックアップが前記ディスク状媒体から授受した信号を電気信号に変換する記録再生回路と、
前記媒体識別領域において前記光ピックアップが授受した前記媒体識別情報を前記記録再生回路が電気信号に変換し、前記データ領域が存在する前記ディスク状媒体の外周方向に前記光ピックアップの移動に連動して、前記ディスク状媒体が装着されていることを識別する識別子を表示する識別子駆動機構と、
前記識別子の表示を維持する維持機構とを備えることを特徴とする記録再生装置。
【請求項２】
前記ディスク状媒体の脱着に連動して、前記維持機構をリセットするリセット機構を備えることを特徴とする請求項１記載の記録再生装置。
【発明の詳細な説明】
【技術分野】
【０００１】
本発明は、記録媒体が内部に装填していることを識別できる記録再生装置に関し、特に非通電時であっても確認可能な記録再生装置に関するものである。
【背景技術】
【０００２】
所定の情報信号または映像信号を記録再生する記録再生装置は、テープ媒体から普及しだし、近年ディスク状媒体に移行しつつある。また、ディスク状媒体への移行に伴い、記録再生装置も薄型化が進行し、コンピュータに組み込まれた記録再生装置も適用されて久しい。
【０００３】
一方、記録再生装置に記録媒体を装脱する機構も、従来の機械式から消音化等のため電子式が普及し、カメラ一体型ビデオ・テープ・レコーダやディスク状媒体を記録再生するドライブと称される記録再生装置では、電子式装脱機構が主流である。
【０００４】
ところで、電子式装脱機構を備えた記録再生装置に記録媒体が収納されていることを確認するためには、一般的に電源を入れて記録再生装置を動作状態にすることが必要である。記録再生装置を簡単に動作状態に移行することができる、または電源を切った状態でも記録媒体の収納部から視認確認できる場合にはさしたる手間を要することがないが、最近の記録再生装置はシステム化が進行し、単に記録再生装置のみを動作状態にするだけであっても、システムを先ず起動状態にした後記録再生装置を動作状態にする必要があり、単に記録媒体の有無確認だけにも拘わらず手間がかかるという課題がある。
【０００５】
この課題を解決する技術として、カメラ一体型ビデオ・テープ・レコーダの分野において、特許文献１で非通電時の装置内部の媒体有無を示す方式が提案されている。この方式は、テープ状媒体を収納するカセットの装填に連動する部材の動作に応じて、外装表面にテープ・カセットの有無を示す所定の表示を出すことで、テープ・カセットの有無を外部から容易に確認可能にする方式である。すなわち、テープ状媒体を記録再生するシリンダーヘッドに巻回する過程で、テープ状媒体を収納するカセットが、媒体の有無を識別する識別子を駆動する機構に機械的に接触することで、識別子を移動させる構成を開示している。
【特許文献１】特開２０００−１４７１３３号公報
【発明の開示】
【発明が解決しようとする課題】
【０００６】
しかし、特許文献１に開示されている技術では、識別子を駆動する機構に対して機械的に接触するテープ状媒体を収納するカセットが必須要件としている。一方、例えばディスク状媒体を記録媒体とする記録再生装置では、ディスク状媒体を収納するカートリッジに対応する記録再生装置はあるものの、裸ディスクとも称されるカートリッジを備えないディスク状媒体のみに対応する記録再生装置が殆どである。
【０００７】
ディスク状媒体を対象とする記録再生装置では、当該ディスク状媒体を回転させるため、ディスク自体を機械的に接触させることは出来ない。したがって、ディスク状媒体を適用する記録再生装置の殆どでは、特許文献１に開示の内容をその流用することができなく、電源切断時でも記録再生装置に記録媒体が装填されていることを簡単に確認できる手だてがないという課題がある。
【０００８】
本発明は、係る従来の課題に鑑み、電源切断時でも記録再生装置中に記録媒体が装着されていることを簡単に視認判断できる記録再生装置を提供することを目的とする。
【課題を解決するための手段】
【０００９】
係る課題を解決する本発明の記録再生装置は、媒体識別情報を備える媒体識別領域と、前記媒体識別領域の外周側にあり所望の情報信号を記録及び／または再生するデータ領域とを備えるディスク状媒体を記録再生する記録再生装置であって、前記ディスク状媒体に情報信号の授受を担う光ピックアップと、前記光ピックアップを前記ディスク状媒体の半径方向に移動をガイドするガイドレールと、前記光ピックアップが前記ディスク状媒体から授受した信号を電気信号に変換する記録再生回路と、前記媒体識別領域において前記光ピックアップが授受した前記媒体識別情報を前記記録再生回路が電気信号に変換し、前記データ領域が存在する前記ディスク状媒体の外周方向に前記光ピックアップの移動に連動して、前記ディスク状媒体が装着されていることを識別する識別子を表示する識別子駆動機構と、前記識別子の表示を維持する維持機構とを備える。
【発明の効果】
【００１０】
これにより、本発明の記録再生装置に撞着するディスク状媒体有無を、外部から記録再生装置が備える識別子を視認するだけで、記録再生装置の電源入り切り如何に拘わらず容易に確認できる。
【発明を実施するための最良の形態】
【００１１】
次に本発明の記録再生装置の最良の実施形態について、図面を参照しながら説明する。図１は本発明の記録再生装置（以下ドライブと称す）における一実施形態の要部側面図である。同図において、１はディスク状媒体（以下、ディスクと称す）、２はディスク1を載置するターンテーブル、３はターンテーブル2に載置しディスク１の中心孔を係止するクランパー、４はターンテーブル２を回転させるスピンドルモーター、５ａは光ピックアップ（以下、ピックと称す）、５ｂは不図示の駆動モータによりピック５ａをディスク１の半径方向に移動する際に案内するガイドレール、５ｃはドライブ停止状態でピック５ａが当接する当接スイッチである。また、６は被係合部材７ａに備える先端部７ｂと係合する係合突起、８は押しボタンバネ９の付勢力でスイッチングするスイッチ、１０は被係合部材７ａに備える凹部７ｃと係合する固定突起、１１は固定突起１０と一体化されたレバー、１２はレバー１１をガイドするリブ１３によって一端が固定され固定突起１０を押圧付勢する固定突起付勢バネである。
【００１２】
次に、上記構成を備えるドライブの動作について説明する。ドライブの扉（不図示）が開けられ、ディスク１がクランパー３に係止され、ドライブの扉が閉じられると、ピック５ａが内蔵するレーザー光がディスク1の最内周に存在する媒体識別領域１ａに記述された媒体識別情報（リードインやTOC等と称される）を読み取る。媒体識別情報を読み取れればディスク１がドライブに装着されていることと等価であるため、媒体識別領域１ａよりも外周に存在するユーザデータ領域１ｂの方向（すなわち、外周方向）へ移動し、ピック５ａはディスク１の情報を読み取る。
【００１３】
このピック５ａの外周方向への移動過程で、ピック５ａの光ビーム照射側の反対方向（以下、この方向を下方向と称し、光ビーム照射方向を上方向と称す）に備える係合突起６が、スイッチ８の上方向に備える被係合部材７ａの先端部７ｂを押圧する。これにより、スイッチ８をスイッチングする押しボタンバネ９が下方向に付勢されることで、スイッチ８が閉じられ、導通状態となる。スイッチ８が導通状態となると同時に、リブ１３に一方が係止され被係合部材７ａ方向に付勢する固定突起付勢バネ１２により、レバー１１と一体化した固定突起１０が凹部７ｃに係合する。これにより、スイッチ８が導通状態で固定維持される。また、スイッチ８の導通により制御回路１４が駆動する。
【００１４】
図２は識別子周りの要部断面図である。同図において、２１は筐体、２２は筐体に設けられた窓部、２３は識別子、２４aは識別子２３と連結したガイドレバーであり、ガイドレバー２４ａには遊挿穴２４ｂを備える。また、２５は遊挿穴２４ｂに遊挿係合する係合突起、２６は係合突起２５と一体化され係合突起付勢バネ２７で付勢されている係合突起ガイドレバー、２８は識別子２３を付勢する漆器別死付勢バネ２９を係止するリブである。
【００１５】
次に、識別子２３周りの動作について説明する。識別子２３と一体に設けられたガイドレバー２４ａを、窓部２２の方向へ移動させる。この移動により、係合突起２５がガイドレバー２４ａ方向に付勢する係合突起付勢バネ２７の押圧力により、遊挿穴２４ｂに係合突起ガイドレバー２６と一体化した係合突起２５が遊挿する。遊挿穴２４ｂに合突起２５が遊挿するとガイドレバー２４ａの移動が停止されるため、識別子２３が筐体２１の窓部２２を介して視認できる位置で固定維持される。その結果、ディスク１がドライブに装着されていることを示す識別子２３をドライブ外部から窓部２２を介して視認することができる。以上の動作を制御回路１４が制御する。
【００１６】
なお、ディスク１がターンテーブル２に載置されない状態でドライブの扉を開閉した場合には、スピンドルモーター４の回転及びピック５ａに備えるレーザー光は照射するが、ピック５ａは媒体識別情報を読み取ることができないため、ピック５ａが媒体識別領域１ａからデータ領域１ｂに向けて移動することはない。従って、スイッチ８は開状態のままとなるため、制御回路１４の制御動作を行うトリガーが作動することがなく、識別子２３が窓部２２から視認されることはない。
【００１７】
以上がドライブにディスク１を装着していない状態からの動作であるが、次にドライブにディスク１が装着された状態から脱着された後の動作について、図３及び図４を参照しながら説明する。図３はドライブの要部側面図、図４は識別子周りの要部断面図である。ドライブの扉開放に連動して、ピック５ａはディスク１の最内周方向へ移動する。ピック５ａが最内周位置まで戻ると、当接スイッチ５ｃにピック５ａが当接する。この当接動作によって、制御回路１４が下記の制御を行う。先ず、レバー１１を固定突起付勢バネ１２の付勢力に抗してリブ１３の方向に移動させることで、凹部７ｃと固定突起１０との係合が解除され、押しボタンバネ９の付勢力によりスイッチ８が閉状態から開状態となり非導通になる。これにより、制御回路１４のトリガーも解除されるため、制御回路１４の制御動作も終了する。この制御回路１４の制御が終了するまでの過程で行う識別子２３周りの動作の制御について、図４を参照して説明する。
【００１８】
当接スイッチ５ｃにピック５ａが当接すると、制御回路１４の出力信号によって、係合突起ガイドレバー２６を移動させ、ガイドレバー２４ａの遊挿穴２４ｂに遊挿されている係合突起２５による遊挿関係を解除する。遊挿関係の解除によって、ガイドレバー２４ａの係止状態も解除され、識別子付勢バネ２９の復元力でガイドレバー２４ａがリブ２８の方向に移動する。ガイドレバー２４ａの移動により、窓部２２の視認範囲内に識別子２３の表示を維持するガイドレバー２４ａ、遊挿穴２４ｂ、係合突起２５、係合突起ガイドレバー２６及び係合突起付勢バネ２７で構成される識別子２３の表示を維持する維持機構がリセットされ、識別子２３が窓部２２を介しての視認範囲街に移動する。
【００１９】
以上述べたドライブの各構成要素の動作と、制御回路１４の一連の制御とについて、図５に示すフローチャートを参照して説明する。
【００２０】
先ず、Ｓ１ステップで、ドライブに電源が投入されたと判断した場合はＳ２ステップに移り、Ｓ１ステップで電源が投入されていないと判断した場合は待ち状態と判断し開始状態に戻る。Ｓ２ステップでドライブの扉が開閉されたかを判断し、開閉されていない場合にはディスク１がターンテーブル２に載置されていないことと等価のため、待ち状態と判断し扉が開閉されるまでＳ２ステップを繰り返す。Ｓ２ステップで扉が開閉されたと判断した場合には、ドライブはスピンドルモーター４の回転駆動を開始（Ｓ３）、及びピック５ａが備えるレーザーを駆動しレーザーを発光させる（Ｓ４）。レーザーを発光させたピック５ａは、媒体識別領域１ａに記述されている媒体識別情報を再生し、媒体識別情報の有無を判断する（Ｓ５）。
【００２１】
Ｓ５ステップで、媒体識別情報が無い（すなわち、ピック５ａから媒体識別情報を再生できなかった）と判断した場合は、Ｓ２ステップにおいて扉の開閉動作だけでディスク１はターンテーブル２に載置されていないことと等価であるため、識別子２３表示ジョブを終了する。一方、Ｓ５ステップで、媒体識別情報に係る信号を再生した場合には、ディスク１がターンテーブル２に載置されているため、ディスク１に関する情報（例えば再生専用型か記録再生型かのディスク１の種類、記録及び／または再生速度、記録型であれば記録時の推奨レーザーパワー等）を取得すると共に、媒体識別領域１ａの外周に存在するデータ領域１ｂに向けてピック５ａが移動し（Ｓ６）、ディスク１のデータの再生動作またはディスク１に所望のデータの記録動作に移行する。
【００２２】
Ｓ６ステップにおけるピック５ａの外周方向への移動動作過程で、ピック５ａが備える係合突起６が、スイッチ８の押しボタンバネ９の付勢に寄与する先端部７ｂに係合し、この係合動作過程で押しボタンバネ９と先端部７ｂとの間に介在する被係合部材７ａに備える凹部７ｃに、固定突起付勢バネ１２が付勢する固定突起１０が係合することで、スイッチ８が開状態から閉状態に移行しスイッチ８を導通状態とする（Ｓ７）。
【００２３】
Ｓ７ステップでスイッチ８が導通状態になると、識別子付勢バネの復元力で、識別子２３と一体に移動するガイドレバー２４ａが移動し（Ｓ８）、ガイドレバー２４ａが備える遊挿穴２４ｂに遊挿係合することでガイドレバー２４ａの移動を停止し、ガイドレバー２４ａに備える識別子２３が筐体２１に備える窓部２２の視認範囲に維持される（Ｓ９）。識別子２３が窓部２２から視認できるため、識別子表示ジョブを終了する。
【００２４】
なお、上述の実施形態では、ドライブの能動状態の有無に拘わらずディスクが装着されている旨のみを識別する識別子の例で説明したが、識別子２３のガイドレバー方向の長さを長くし、例えば色を変えることで、ディスクが装着されていない旨も識別させることもできる。さらに、本発明の識別子表示は、ディスク１に記述された媒体識別情報の再生から開始されるため、媒体識別情報の再生によって例えばディスク１が再生専用型か記録型かというディスクの種類をも識別させることも可能である。なお、ディスクの種類をも識別させる場合には、本実施形態における識別子２３を移動するガイドレバー２４ａを、例えば回転駆動する構成とし、識別子は回転に応じてディスクの種類とディスク無しとを識別できるように構成する等で実現できる。また、上記実施形態では、ディスク状媒体として説明したが、媒体識別情報を有する情報媒体であれば全て適用できるため、形状はディスク状に限るものではなく、例えば情報媒体の種類に応じて情報媒体と記録再生回路との間で情報の授受を担うデバイスを上記実施形態のピックに代えることも可能である。
【産業上の利用可能性】
【００２５】
本発明の記録再生装置は、情報媒体が内蔵している識別子を、記録再生装置の能動状態の有無如何に拘わらず検出することができるため、コンピュータに内蔵するドライブでもコンピュータに外付けするドライブでも適応可能であり、その他情報媒体に対し情報の授受をする電子機器全般にも適用できる。
【図面の簡単な説明】
【００２６】
【図１】本発明の記録再生装置における一実施形態の要部側面図
【図２】同装置における識別子周りの要部断面図
【図３】同装置の要部側面図
【図４】同装置における識別子周りの要部断面図
【図５】同装置における識別子表示に係るフローチャート
【符号の説明】
【００２７】
１    ディスク状媒体
５ａ    ピック
５ｂ    ガイドレール
６    係合突起
７ａ    被係合部材
７ｂ    先端部
７ｃ    凹部
８    スイッチ
１０    固定突起
１４    制御回路
２２    窓部
２３    識別子
２４ａ    ガイドレバー
２４ｂ    遊挿穴
２５    係合突起
【図１】
2009245522.tif 000003
【図２】
2009245522.tif 000004
【図３】
2009245522.tif 000005
【図４】
2009245522.tif 000006
【図５】
2009245522.tif 000007